(57)【要約】【課題】所定外の機器を操作するための改造、あるいは無線送信の出力を大きくする改造を防止することのできる遠隔操作携帯機を提供する。【解決手段】上ケース２にはスイッチ２２の操作をなすための開口部１０が形成され、基板４は上ケース２側の表面に信号制御回路、コンデンサーを有する送信アンテナ、増幅器の少なくとも１つを含む電子部品２１を配置する部品配置領域２０を備えると共に、基板４の下ケース３側の裏面には電池５と接触する電源端子２３を備え、ケーシング１内には基板４の部品配置領域２０を含む表面を覆う弾性被覆体６が設けられ、弾性被覆体６は基板４に対して接着材７により接着固定される固着部３３を部品配置領域の外側に備える。【選択図】図４
2010219590.tif 000002
【特許請求の範囲】
【請求項１】
上ケースと下ケースを一体化してなるケーシング内に電子部品を配置した基板及び電池を納めた遠隔操作携帯機において、
前記上ケースにはスイッチの操作をなすための開口部が形成され、前記基板は上ケース側の表面に信号制御回路、コンデンサーを有する送信アンテナ、増幅器の少なくとも１つを含む電子部品を配置する部品配置領域を備えると共に、前記基板の下ケース側の裏面には前記電池と接触する電源端子を備え、
前記ケーシング内には前記基板の部品配置領域を含む表面を覆う弾性被覆体が設けられ、該弾性被覆体は前記基板に対して接着材により接着固定される固着部を前記部品配置領域の外側に備えることを特徴とする遠隔操作携帯機。
【請求項２】
前記弾性被覆体の固着部は前記基板の部品配置領域を取り囲むように形成されることを特徴とする請求項１記載の遠隔操作携帯機。
【請求項３】
前記弾性被覆体の固着部は接着材を塗布する接着部と、該接着部の少なくとも前記部品配置領域側に設けられる凹部とからなることを特徴とする請求項１または２記載の遠隔操作携帯機。
【請求項４】
前記弾性被覆体は前記固着部よりも外周側で前記上ケース及び下ケースに全周に渡って挟持される防水シール部を備え、前記凹部は前記接着部の防水シール部側にも設けられることを特徴とする請求項３記載の遠隔操作携帯機。
【請求項５】
前記基板は、前記弾性被覆体の固着部が接着される領域の少なくとも前記部品配置領域側に凹部を有してなることを特徴とする請求項１または２記載の遠隔操作携帯機。
【請求項６】
前記上ケースは前記弾性被覆体に対して当接する当接面を内周面に備え、該当接面には接着材を充填する上ケース凹部が形成されてなることを特徴とする請求項１〜５のいずれか１項に記載の遠隔操作携帯機。
【発明の詳細な説明】
【技術分野】
【０００１】
本発明は、所定の操作を無線通信により行うことのできる遠隔操作携帯機に関し、特に内部に基板を覆って防水性を確保する弾性被覆体を備えてなる遠隔操作携帯機に関する。
【背景技術】
【０００２】
従来、各種機器を無線通信により遠隔操作することのできる携帯機が知られている。例えば、車のキーレスエントリー装置においては、キーと一体化、あるいはキーを有さない単体の携帯機が知られており、この携帯機に設けられたスイッチを操作することにより、車両との間で無線通信がなされて、ドアを施錠したり、あるいは解錠したりするように構成されている。また、車両においてエンジンをスタートさせるために用いられる携帯機も知られている。さらに、この種の携帯機は、テレビ等の家電機器を操作するリモコンとしても用いることができる。
【０００３】
遠隔操作携帯機においては、ＣＰＵ等からなる制御部においてスイッチによる操作に応じた信号が生成され、それが搬送波により周波数変調あるいは振幅変調され、増幅回路を経て送信アンテナから無線送信される。このように信号を無線送信する遠隔操作携帯機としては、例えば特許文献１に挙げるようなものがある。
【先行技術文献】
【特許文献】
【０００４】
【特許文献１】特許第３３２０２５９号公報
【発明の概要】
【発明が解決しようとする課題】
【０００５】
遠隔操作携帯機において、制御部を改造したり、あるいは信号を送信する配線に外部からの信号を入力するようにして、所定の機器以外の機器を操作できるように改造が行われることが懸念される。また、増幅器における増幅度を上げたり、あるいは送信アンテナの容量成分を調整するなどして、無線送信の出力を大きくして通信距離を伸ばすといった改造も懸念される。
【０００６】
本発明は前記課題を鑑みてなされたものであり、所定外の機器を操作するための改造、あるいは無線送信の出力を大きくする改造を防止することのできる遠隔操作携帯機を提供することを目的とする。
【課題を解決するための手段】
【０００７】
前記課題を解決するため、本発明に係る遠隔操作携帯機は、上ケースと下ケースを一体化してなるケーシング内に電子部品を配置した基板及び電池を納めた遠隔操作携帯機において、
前記上ケースにはスイッチの操作をなすための開口部が形成され、前記基板は上ケース側の表面に信号制御回路、コンデンサーを有する送信アンテナ、増幅器の少なくとも１つを含む電子部品を配置する部品配置領域を備えると共に、前記基板の下ケース側の裏面には前記電池と接触する電源端子を備え、
前記ケーシング内には前記基板の部品配置領域を含む表面を覆う弾性被覆体が設けられ、該弾性被覆体は前記基板に対して接着材により接着固定される固着部を備えることを特徴として構成されている。
【０００８】
また、本発明に係る遠隔操作携帯機は、前記弾性被覆体の固着部は前記基板の部品配置領域を取り囲むように形成されることを特徴として構成されている。
【０００９】
さらに、本発明に係る遠隔操作携帯機は、前記弾性被覆体の固着部は接着材を塗布する接着部と、該接着部の少なくとも前記部品配置領域側に設けられる凹部とからなることを特徴として構成されている。
【００１０】
さらにまた、本発明に係る遠隔操作携帯機は、前記弾性被覆体は前記固着部よりも外周側で前記上ケース及び下ケースに全周に渡って挟持される防水シール部を備え、前記凹部は前記接着部の防水シール部側にも設けられることを特徴として構成されている。
【００１１】
そして、本発明に係る遠隔操作携帯機は、前記基板は、前記弾性被覆体の固着部が接着される領域の少なくとも前記部品配置領域側に凹部を有してなることを特徴として構成されている。
【００１２】
また、本発明に係る遠隔操作携帯機は、前記上ケースは前記弾性被覆体に対して当接する当接面を内周面に備え、該当接面には接着材を充填する上ケース凹部が形成されてなることを特徴として構成されている。
【発明の効果】
【００１３】
本発明に係る遠隔操作携帯機によれば、ケーシング内には基板の部品配置領域を含む表面を覆う弾性被覆体が設けられ、弾性被覆体は基板に対して接着材により接着固定される固着部を備えることにより、基板の部品配置領域を弾性被覆体で覆って、かつ弾性被覆体を容易には取り外すことができず、無理矢理取り外すと弾性被覆体によるケーシング内の防水機能が損なわれることととなり、基板に配置された部品の交換や改造に対する抑止力とすることができる。
【００１４】
また、本発明に係る遠隔操作携帯機によれば、固着部は基板の部品配置領域を取り囲むように形成されることにより、基板上の電子部品に対して確実にアクセスできないようにすることができる。
【００１５】
さらに、本発明に係る遠隔操作携帯機によれば、固着部は接着材を塗布する接着部と、接着部の少なくとも部品配置領域側に設けられる凹部とからなることにより、接着材の余剰分が凹部に納められるので、接着材が部品配置領域内に侵入することを防止することができる。
【００１６】
さらにまた、本発明に係る遠隔操作携帯機によれば、弾性被覆体は固着部よりも外周側で上ケース及び下ケースに全周に渡って挟持される防水シール部を備え、凹部は接着部の防水シール部側にも設けられることにより、接着材が防水シール部に侵入して防水性能を損ねることを防止することができる。
【００１７】
そして、本発明に係る遠隔操作携帯機によれば、基板は弾性被覆体の固着部が接着される領域の少なくとも部品配置領域側に凹部を有してなることにより、接着材の余剰分が凹部に納められるので、接着材が部品配置領域内に侵入することを防止することができる。
【００１８】
また、本発明に係る遠隔操作携帯機によれば、上ケースは弾性被覆体に対して当接する当接面を内周面に備え、当接面には接着材を充填する上ケース凹部が形成されてなることにより、上ケースと弾性被覆体とが接着されて、上ケースと下ケースを分離しようとすると弾性被覆体が破損することとなり、より確実に基板に配置された部品の交換や改造に対する抑止力を発揮させることができる。
【図面の簡単な説明】
【００１９】
【図１】本実施形態における遠隔操作携帯機の斜視図である。
【図２】遠隔操作携帯機の分解斜視図である。
【図３】上ケースを除いた遠隔操作携帯機の平面図である。
【図４】図３のＡ−Ａ断面図である。
【発明を実施するための形態】
【００２０】
本発明の実施形態について図面に沿って詳細に説明する。図１には、本実施形態における遠隔操作携帯機の斜視図を示している。この図に示すように、本実施形態における遠隔操作携帯機は、上ケース２と下ケース３により構成されるケーシング１内に、後述する基板４や電池５等を納めてなり、ケーシング１の上ケース２には２つの開口部１０が形成されると共に、開口部１０からは押圧操作自在な操作部３２が露出している。この操作部３２を押圧操作することにより、遠隔操作携帯機からは所定の信号が無線送信される。
【００２１】
図２には、遠隔操作携帯機の分解斜視図を示している。この図に示すように、上ケース２は２つの開口部１０を有している。また、下ケース３はトレイ状に形成されて、底面の中央部には電池５を収容可能な電池収容部１５を有している。上ケース２と下ケース３は、周縁部において互いに係合し、一体化されてケーシング１を構成する。そして、ケーシング１の内部は中空状となり、その中に基板４と電池５及び弾性被覆体６が納められる。
【００２２】
基板４は、ケーシング１の内部形状に略適合する板状に形成されてなるものであって、上ケース２に対向する表面４ａには、複数の電子部品２１と２つのスイッチ２２が配置されている。電子部品２１には、スイッチ２２の操作に応じた信号を生成する信号制御回路と、信号制御回路で生成した信号を搬送波で変調する信号回路と、変調した信号を増幅する増幅器と、増幅器で増幅した信号を無線送信する送信アンテナなどが含まれる。なお、送信アンテナはコンデンサーを有して構成されている。
【００２３】
弾性被覆体６は、ゴム等の弾性を有する素材により形成されたものであって、基板４と上ケース２の間に設けられて、ケーシング１内において基板４の表面４ａ側を被覆し、基板４の防水性を確保するものである。
【００２４】
弾性被覆体６は、基板４全体を覆うため、基板４よりも一回り大きく形成される。また、上面には上ケース２の開口部１０の位置及び大きさに対応した突出状の操作部３２を２つ有しており、開口部１０からケーシング１の外方に露出する。
【００２５】
図３には、遠隔操作携帯機の上ケース２を除いた平面図を示している。この図において弾性被覆体６は破線で示されている。図３に示すように、電子部品２１及びスイッチ２２は、基板４の表面４ａにおいてその周縁部を除く中央部である部品配置領域２０に配置されている。弾性被覆体６の基板４と対向する面には、基板４の部品配置領域２０の外側であって、これを取り囲むように固着部３３が形成され、固着部３３には接着材７が設けられて弾性被覆体６と基板４とを接着固定している。
【００２６】
図４には、図３のＡ−Ａ断面図を示している。なお、図４では上ケース２も示している。図４に示すように、上ケース２の下端部には係合部１１が形成され、下ケース３の内周面に形成される被係合部１６に係合し、上ケース２と下ケース３が一体化されている。また、電池５は、下ケース３の電池収容部１５に納められ、基板４の裏面４ｂと対向すると共に、基板４の裏面４ｂに設けられる電源端子２３と接触する。
【００２７】
弾性被覆体６は、中央部の上面に前述の操作部３２が形成されると共に、その下面側は空洞状となるように形成され、部品配置領域２０を覆っている。弾性被覆体６において基板４のうち部品配置領域２０の周縁部と対向する部分は、基板４の表面４ａと当接するように形成されており、この当接する領域に固着部３３が形成されている。
【００２８】
また、弾性被覆体６の周縁部は、基板４の側方から上ケース２の係合部１１の下部に伸びており、上ケース２及び下ケース３によって挟持される防水シール部３１となっている。防水シール部３１が上ケース２と下ケース３によって挟持されていることで、それよりも内側の基板４側に水が浸入しないようにしている。
【００２９】
固着部３３と基板４は、接着材７により接着固定され、これによってケーシング１を分解しても基板４上の電子部品２１を容易に交換したり改造したりすることができない。これらを行うためには、弾性被覆体６を基板４から無理矢理剥がすことが考えられるが、そうすると弾性被覆体６は破損することとなるため、本来果たすべき防水性能を発揮することができなくなる。すなわち、本来の機能を損なうこととなるため、基板４上の電子部品２１に対する安易な改造、交換等を防止することができる。特に、基板４に配置された電子部品２１において、制御部や増幅器、あるいは送信アンテナに含まれるコンデンサーなどは、改造の対象となりやすいため、これらを確実に被覆し、弾性被覆体６をめくっても露出しないように、弾性被覆体６が基板４に対して固着される。
【００３０】
また、弾性被覆体６の固着部３３は、接着材７が塗布されて基板４との接着をなす平面状の接着部３３ａと、接着部３３ａの両側に形成された溝状の凹部３３ｂとからなっている。固着部３３を構成する凹部３３ｂは、接着部３３ａに設けられた接着材７のうち余剰分を受ける機能を果たす。
【００３１】
接着部３３ａと基板４の表面４ａは、いずれも平面状であるため、弾性被覆体６を基板４に接着するのに伴い、余剰分は接着部３３ａの両側に押し出されるが、凹部３３ｂが形成されていることにより、接着材７は凹部３３ｂよりも外側にまで漏れることがない。
【００３２】
このように、凹部３３ｂが接着部３３ａの両側、すなわち接着部３３ａの部品配置領域２０側と防水シール部３１側とにそれぞれ形成されているので、接着材７が部品配置領域２０内に侵入して電子部品２１に影響を与えたり、あるいは接着材７が防水シール部３１と上ケース２あるいは下ケース３との間に侵入して防水性に影響を与えたりすることがない。
【００３３】
また、本実施形態では、弾性被覆体６に凹部３３ｂを設けているが、接着される基板４側に凹部を設けるようにしてもよい。この場合には、弾性被覆体６の固着部３３を挟んで弾性被覆体６と基板４の両方にそれぞれ凹部を設けることとなる。なお、基板４にのみ凹部を設け、その場合に部品配置領域２０側のみ一条の溝を形成しても良い。
【００３４】
本実施形態では、上ケース２と弾性被覆体６の間にも、接着材８が設けられる。図４に示すように、上ケース２の内周面は弾性被覆体６の上面と当接する当接面１２となっており、その周縁部には溝状の上ケース凹部１３が形成されている。上ケース凹部１３には、接着材８が充填され、上ケース２と弾性被覆体６とを接着固定する。
【００３５】
このように、上ケース２と弾性被覆体６を接着材８で固定することにより、上ケース２と下ケース３を分離することも困難となり、無理矢理分離すれば弾性被覆体６を破損して防水性を損なうこととなる。このため、より改造に対する抑止力となる。
【００３６】
以上、本発明の実施形態について説明したが、本発明の適用は本実施形態には限られず、その技術的思想の範囲内において様々に適用されうるものである。本実施形態では、遠隔操作携帯機は車のキーレスエントリー装置に用いられるものを想定しているが、その他にもテレビ等の電機製品のリモコンなどにも本発明を適用することができる。
【００３７】
また、弾性被覆体６における固着部３３の配置についても、本実施形態には限られず、例えば部品配置領域２０の外側領域の複数箇所について、島状に固着部３３を設けるようにしてもよい。この場合においても固着部３３の凹部３３ｂは、接着材７が塗布される接着部３３ａの部品配置領域２０側と防水シール部３１側のそれぞれに設けられる。
【符号の説明】
【００３８】
１    ケーシング
２    上ケース
３    下ケース
４    基板
５    電池
６    弾性被覆体
１０    開口部
１１    係合部
１２    当接面
１３    上ケース凹部
１５    電池収容部
１６    被係合部
２０    部品配置領域
２１    電子部品
２２    スイッチ
２３    電源端子
３０    被覆部
３１    防水シール部
３２    操作部
３３    固着部
３３ａ  接着部
３３ｂ  凹部
【図１】
2010219590.tif 000003
【図２】
2010219590.tif 000004
【図３】
2010219590.tif 000005
【図４】
2010219590.tif 000006